(57)【要約】【課題】テレビ電話中のデータを順次保存するための大容量メモリを必要とせず、ユーザが記録スイッチの操作を忘れたまま重要な通信が行なわれたような場合であっても、現時点から所定時間だけ過去に遡って受信した画像や通信内容を、通信が行なわれたときの時間差に関わりなく、幾つでも保存することのできる携帯電話機を提供すること。【解決手段】テレビ電話機能の起動を検知した時点で抽出データ書込手段Ｄの作動を開始させ、一定の記憶容量の範囲内で一時記憶用メモリＡに送受信データを循環的に上書きして記憶させることで、所定時間分の送受信データを一時記憶用メモリＡに定常的に保持する。データ保存指令の入力によりデータ保存手段Ｆを作動させ、一時記憶用メモリＡに記憶されている送受信データを書き込み時の時系列に従った一連のデータ群からなるファイルとして不揮発性メモリＢに保存し、必要に応じて記憶データ再生手段Ｇで再生する。【選択図】図２
2010124243.tif 000002
【特許請求の範囲】
【請求項１】
画像データと音声データを多重化したデータを送受信するテレビ電話機能を有する携帯電話機において、
データの高速書き込みが可能な一時記憶用メモリと、
前記一時記憶用メモリよりも大きな記憶容量を有する不揮発性メモリと、
携帯電話機におけるテレビ電話機能の起動を検知する作動検知手段と、
前記作動検知手段がテレビ電話機能の起動を検知すると、前記データのうち少なくとも受信データを逐次抽出し、抽出したデータを予め決められた記憶容量の範囲内で前記一時記憶用メモリに循環的に上書きして記憶させる抽出データ書込手段と、
ユーザからのデータ保存指令を受け付けるための保存指令受付手段と、
前記保存指令受付手段からのデータ保存指令を受けると、その時点で前記一時記憶用メモリに記憶されているデータの全てを書き込み時の時系列に従った一連のデータ群からなるファイルにして前記不揮発性メモリに記憶させるデータ保存手段と、
前記不揮発性メモリに記憶されたファイルから一連のデータを順に読み出して画像と音声を再生する記憶データ再生手段とを備えたことを特徴とする携帯電話機。
【請求項２】
前記抽出データ書込手段が、前記データから前記受信データに加えて送信データを逐次抽出し、抽出したデータを予め決められた記憶容量の範囲内で前記一時記憶用メモリに受信データと送信データを同期させて循環的に上書きして記憶させるように構成されていることを特徴とする請求項１記載の携帯電話機。
【請求項３】
前記一時記憶用メモリにおけるデータの書き込み状態を監視し、前記一時記憶用メモリを一巡してデータが書き込まれる前に上書きの発生を予告する上書発生予告手段と、
前記上書発生予告手段が上書きの発生を予告した時点でユーザに上書きの発生を警告表示する上書発生警告手段とを備えたことを特徴とする請求項１または請求項２のうち何れか一項に記載の携帯電話機。
【請求項４】
ユーザからのファイル選択指令を受け付けるための選択指令受付手段と、
前記選択指令受付手段からのファイル選択指令を受けて選択済みのファイルを再生対象ファイルとして順に一時記憶する再生対象ファイル一時記憶手段と、
前記再生対象ファイル一時記憶手段に記憶された複数のファイルから記憶時の時系列に従って各ファイルを順に前記記憶データ再生手段に引き渡す連続再生補助手段とを備えたことを特徴とする請求項１，請求項２または請求項３のうち何れか一項に記載の携帯電話機。
【請求項５】
画像データと音声データを多重化したデータを送受信するテレビ電話機能を有する携帯電話機の送受信データ保存再生方法であって、
テレビ電話機能が作動する間に検出される送受信データから少なくとも受信データを逐次抽出してデータの高速書き込みが可能な一時記憶用メモリに予め決められた記憶容量の範囲内で循環的に上書きして定常的に記憶させておき、
ユーザがデータ保存指令を入力した時点で前記一時記憶用メモリに記憶されているデータの全てを、書き込み時の時系列に従った一連のデータ群からなるファイルにして前記一時記憶用メモリよりも大きな記憶容量を有する不揮発性メモリに記憶させ、
その後、前記不揮発性メモリに記憶されたファイルから一連のデータを順に読み出して画像と音声を再生することを特徴とした携帯電話機の送受信データ保存再生方法。
【請求項６】
前記受信データに加え、前記送受信データから送信データを逐次抽出し、抽出したデータを予め決められた記憶容量の範囲内で前記一時記憶用メモリに受信データと送信データを同期させて循環的に上書きして記憶させるようにしたことを特徴とする請求項５記載の携帯電話機の送受信データ保存再生方法。
【発明の詳細な説明】
【技術分野】
【０００１】
本発明は、画像データと音声データを多重化したデータを送受信するテレビ電話機能を有する携帯電話機の改良、特に、テレビ電話中の画像や音声の保存および再生機能の改良に関する。
【背景技術】
【０００２】
画像データと音声データを多重化したデータを送受信するテレビ電話機能を有する電話機あるいは通話内容を保存する機能を備えた電話機としては、例えば、特許文献１に開示される電話機，特許文献２に開示されるテレビ電話機能付き携帯電話機，特許文献３に開示される送受信記録システム，特許文献４に開示される通信端末装置が公知である。
【０００３】
特許文献１に開示される発明は、着信や発信と同時に通話内容の記録を開始することによって通話内容の記録漏れを防止するようにしたものであり、単に、通話内容の記録漏れの防止のためには通話の開始時点から録音に関する処理操作を開始することが必要であるといった自明なことを述べているに過ぎない。
【０００４】
特許文献２に開示されるテレビ電話機能付き携帯電話機は、テレビ電話機能の作動中に送話側の多重化信号と受話側の多重化信号を記録保存するようにしたもので、受話側の多重化信号のみを記録保存するようにしていた其れ以前のテレビ電話機能付き携帯電話機と比較すると、単に、テレビ電話機能の作動中に記録保存された送話側の多重化信号を再生できるようになっている点で異なるに過ぎない。受話側の多重化信号に加えて送話側の多重化信号を記録／再生することは技術的には極めて容易であろう。
【０００５】
特許文献３に開示される送受信記録システムは、基本的に、特許文献２に開示されるテレビ電話機能付き携帯電話機と同等の機能を有する。
【０００６】
特許文献４に開示される通信端末装置は、テレビ電話の使用に際し、現時点から遡って所定時間前までの画像や通信内容を確認あるいは再生もしくは保存することを目的としたものであり、例えば、ユーザが通信内容保存用の記録スイッチの操作を忘れたまま重要な通信を行ったような場合であっても、現時点から所定時間前までの画像や通信内容を再確認できるといった利点がある。
しかし、その実態的な構成は、テレビ電話中の画像データを順次保存する親画面表示用メモリに記憶されたデータを現時点から所定時間だけ過去に遡って切り出し、切り出した内容を動画切り出し用メモリに上書きコピーすることによって画像や通信内容を確認あるいは再生もしくは保存するものである。従って、親画面表示用メモリの記憶容量は、実際に必要とされる記憶容量、つまり、所定時間分の通信内容を保存する動画切り出し用メモリの記憶容量よりも冗長性を持たせて大きくする必要があり、親画面表示用メモリの記憶容量が有効に利用されない不都合がある。
また、動画切り出し用メモリは比較的小容量のデータを取り扱うことを目的とし、記憶内容を完全に消去した上で親画面表示用メモリから切り出されたデータを再記憶する構成であるから、親画面表示用メモリから切り出されたデータを２組以上記録することはできず、例えば、１回の通信中に２回以上に亘って記録すべき内容を看過したような場合にあっては、その全てを保存することはできない。無論、親画面表示用メモリの記憶容量が著しく大きければ問題はないとも言えるが、通信の開始時点で記録スイッチの操作を忘れたような場合には、データの切り出しの対象となる親画面表示用メモリ自体にデータが保存されていないという問題がある。
更に、親画面表示用メモリの記憶容量が如何に大きかろうとも、記憶領域の全てにデータが書き込まれてから後は其の先頭アドレスからデータの上書きが再開されるので、受信時間に大きな時間差があるような通信内容に関しては、その内容が如何に重要であっても、２つ以上の内容、つまり、切り出されたデータの２組以上を保存することはできない。親画面表示用メモリの記憶容量が有限であり、また、動画切り出し用メモリには親画面表示用メモリから切り出されたデータを１組しか保存できないからである。
【０００７】
【特許文献１】特開平９−８９０１号公報（段落０００７）
【特許文献２】特開２００３−３４８２２２号公報（段落００１７，００３４）
【特許文献３】特開２００５−５７３６２号公報
【特許文献４】特開２００５−３０３３９７号公報（段落０００４−０００５，００２６，段落００２２）
【発明の開示】
【発明が解決しようとする課題】
【０００８】
そこで、本発明の課題は、テレビ電話中のデータを順次保存するための大容量メモリを必要とせず、ユーザが記録スイッチの操作を忘れたまま重要な通信が行なわれたような場合であっても、現時点から所定時間だけ過去に遡って受信した画像や通信内容を、通信が行なわれたときの時間差に関わりなく、幾つでも保存することのできる携帯電話機および携帯電話機の送受信データ保存再生方法を提供することにある。
【課題を解決するための手段】
【０００９】
本発明の携帯電話機は、画像データと音声データを多重化したデータを送受信するテレビ電話機能を有する携帯電話機において、前記課題を達成するため、特に、
データの高速書き込みが可能な一時記憶用メモリと、
前記一時記憶用メモリよりも大きな記憶容量を有する不揮発性メモリと、
携帯電話機におけるテレビ電話機能の起動を検知する作動検知手段と、
前記作動検知手段がテレビ電話機能の起動を検知すると、前記データのうち少なくとも受信データを逐次抽出し、抽出したデータを予め決められた記憶容量の範囲内で前記一時記憶用メモリに循環的に上書きして記憶させる抽出データ書込手段と、
ユーザからのデータ保存指令を受け付けるための保存指令受付手段と、
前記保存指令受付手段からのデータ保存指令を受けると、その時点で前記一時記憶用メモリに記憶されているデータの全てを書き込み時の時系列に従った一連のデータ群からなるファイルにして前記不揮発性メモリに記憶させるデータ保存手段と、
前記不揮発性メモリに記憶されたファイルから一連のデータを順に読み出して画像と音声を再生する記憶データ再生手段とを備えたことを特徴とする構成を有する。
【００１０】
また、本発明の携帯電話機の送受信データ保存再生方法は、画像データと音声データを多重化したデータを送受信するテレビ電話機能を有する携帯電話機の送受信データ保存再生方法であり、前記と同様の課題を達成するため、特に、
テレビ電話機能が作動する間に検出される送受信データから少なくとも受信データを逐次抽出してデータの高速書き込みが可能な一時記憶用メモリに予め決められた記憶容量の範囲内で循環的に上書きして定常的に記憶させておき、
ユーザがデータ保存指令を入力した時点で前記一時記憶用メモリに記憶されているデータの全てを、書き込み時の時系列に従った一連のデータ群からなるファイルにして前記一時記憶用メモリよりも大きな記憶容量を有する不揮発性メモリに記憶させ、
その後、前記不揮発性メモリに記憶されたファイルから一連のデータを順に読み出して画像と音声を再生することを特徴とした構成を有する。
【発明の効果】
【００１１】
本発明の携帯電話機および携帯電話機の送受信データ保存再生方法は、携帯電話機におけるテレビ電話機能の起動を検知した時点で予め決められた記憶容量の範囲内で一時記憶用メモリに受信データを循環的に上書きして記憶させ始めると共に、ユーザによるデータ保存指令の入力が検知された時点で一時記憶用メモリに記憶されているデータの全てを書き込み時の時系列に従った一連のデータ群からなるファイルとして不揮発性メモリに記憶させるようにしているので、通信内容の記録を開始させる記録スイッチ等の操作による明示的な指令を携帯電話機に与えなくても、予め決められた記憶容量のデータ、つまり、現時点から所定時間前まで過去に遡って受信した画像や通信内容等のデータを定常的に一時記憶用メモリに記憶させることができる。
【００１２】
また、ユーザがデータ保存指令を入力することにより、一時記憶用メモリに記憶されているデータ、すなわち、現時点から所定時間前まで過去に遡って受信した画像や通信内容等のデータを不揮発性メモリにファイルとして保存することができ、更に、ファイルから一連のデータを順に読み出して画像と音声を再生することができるので、重要な通信内容を聞き逃したり見逃したりした場合であっても、その内容を後から簡単に再確認することができる。
【００１３】
一時記憶用メモリには受信データが循環的に上書きして記憶され、古いデータは自動的に消去されることになるが、一時記憶用メモリのデータを記憶容量の大きな不揮発性メモリにファイルとして保存することができるので、通信が行なわれたときの時間差に関わりなく、重要な通信内容を幾つでも保存することができ、テレビ電話中のデータを順次記憶するための一時記憶用メモリは小容量で済む。
【発明を実施するための最良の形態】
【００１４】
次に、本発明を実施するための最良の形態について具体例を挙げ、図面を参照して詳細に説明する。
【００１５】
図１は本発明の送受信データ保存再生方法を適用した一実施形態の携帯電話機１の構成の概略について示したブロック図、また、図２は同実施形態の携帯電話機１が備える主要な機能について簡略化して示した機能ブロック図である。
【００１６】
この実施形態の携帯電話機１は、画像データと音声データを多重化したデータを送受信するテレビ電話機能を有する携帯電話機であり、テレビ電話機能を実現するための公知の構成要素に加え、更に、図１に示されるように、データの高速書き込みが可能なＲＡＭによって構成される一時記憶用メモリＡと、一時記憶用メモリＡよりも大きな記憶容量を有する不揮発性メモリＢと、携帯電話機１におけるテレビ電話機能の起動を検知する作動検知手段Ｃと、作動検知手段Ｃがテレビ電話機能の起動を検知すると、それ以降当該携帯電話機１によって送受信されるデータを逐次抽出し、抽出した受信データと送信データを同期させて予め決められた記憶容量の範囲内で一時記憶用メモリＡに循環的に上書きして記憶させる抽出データ書込手段Ｄと、ユーザからのデータ保存指令を受け付けるための保存指令受付手段Ｅと、保存指令受付手段Ｅからのデータ保存指令を受け、その時点で一時記憶用メモリＡに記憶されているデータの全てを書き込み時の時系列に従った一連のデータ群からなるファイルにして不揮発性メモリＢに記憶させるデータ保存手段Ｆと、不揮発性メモリＢに記憶されたファイルから一連のデータを順に読み出して画像と音声を再生する記憶データ再生手段Ｇとを備える。
抽出データ書込手段Ｄは、携帯電話機１によって送受信されるデータのうち受信データのみを抽出して一時記憶用メモリＡに記憶させるように構成する場合もある。
【００１７】
また、この実施形態の携帯電話機１は、更に、一時記憶用メモリＡにおけるデータの書き込み状態を監視し、一時記憶用メモリＡを一巡してデータが書き込まれる前に上書きの発生を予告する上書発生予告手段Ｈと、上書発生予告手段Ｈが上書きの発生を予告した時点でユーザに上書きの発生を警告表示する上書発生警告手段Ｉと、ユーザからのファイル選択指令を受け付けるための選択指令受付手段Ｊと、選択指令受付手段Ｊからのファイル選択指令を受けて選択済みのファイルを再生対象ファイルとして順に一時記憶する再生対象ファイル一時記憶手段Ｋと、再生対象ファイル一時記憶手段Ｋに記憶された複数のファイルから記憶時の時系列に従って各ファイルを順に記憶データ再生手段Ｇに引き渡す連続再生補助手段Ｌとを備える。
但し、上書発生予告手段Ｈ，上書発生警告手段Ｉ，選択指令受付手段Ｊ，再生対象ファイル一時記憶手段Ｋ，連続再生補助手段Ｌに関しては必ずしも必須ではなく、これらの各手段を省略した場合であっても、所期の目的を達成するために必要とされる最小限度の機能を発揮することが可能である。
【００１８】
この実施形態の携帯電話機１は、図１に示されるように、通話用のマイク２およびスピーカ３と送受信部４ならびにディスプレイ５を有し、テレビ電話用の画像を撮影するためのカメラ６を備える。この実施形態においては、スピーカ３は、不揮発性メモリＢに記憶されたファイルから一連のデータを順に読み出して画像と音声を再生する記憶データ再生手段Ｇの一部をなす音声出力部としても機能する。
【００１９】
ディスプレイ５は液晶モニタ等によって構成され、電話番号の選択表示や着信履歴等の表示、更には、作成過程にあるメールや受信メールの表示等に利用され、また、テレビ電話機能を利用した通信を行なう際の画像表示手段としても利用される。更に、この実施形態においては、ディスプレイ５が、不揮発性メモリＢに記憶されたファイルから一連のデータを順に読み出して画像と音声を再生する記憶データ再生手段Ｇの一部をなす画像表示部として機能し、また、ユーザに上書きの発生を警告表示する上書発生警告手段Ｉの一部をなすアラート表示部としても機能する。
【００２０】
携帯電話機１を通常の電話モードで使用する場合にあっては、マイク２から入力された音声が音声処理部１２でＡ／Ｄ変換されてマイクロプロセッサ８に転送され、更に、マイクロプロセッサ８で圧縮および符号化の処理を施された後、送受信部４で変調されて内蔵式もしくは伸縮式のアンテナ１３を介して外部に送信される。
【００２１】
カメラ制御部７はマイクロプロセッサ８からの指令を受けてデジタルカメラ６を駆動する。通常の撮影モードにおいてデジタルカメラ６で撮像された画像は、画像処理部９で圧縮および符号化の処理を施されてからマイクロプロセッサ８に読み込まれ、不揮発性メモリＢのユーザ用画像記憶領域に保存される。不揮発性メモリＢには撮影モードで撮影された画像データの他にもメールのテキストデータや登録済電話番号および電子メールアドレス等が記憶される。特に、本実施形態においては、この不揮発性メモリＢに、一時記憶用メモリＡとして機能するＲＡＭ１４から転送されるデータをファイルとして記憶するためのテレビ電話用保存データ記憶領域が設けられている。また、携帯電話機１のテレビ電話機能が起動されている場合にあっては、圧縮および符号化の処理を終えた画像データは不揮発性メモリＢのユーザ用画像記憶領域には保存されず、所定のサンプリング周期でＣＰＵ８に読み込まれ、前述の処理で圧縮および符号化の処理を施された音声データと共に多重化されて画像と音声を含む送信データに変換され、前記と同様、送受信部４で変調されて内蔵式もしくは伸縮式のアンテナ１３を介して外部に送信されることになる。
【００２２】
携帯電話機１を通常の電話モードで使用している状況下でアンテナ１３によって受信された通信電波は送受信部４で復調されてマイクロプロセッサ８に転送され、音声データに変換されてから、音声処理部１２でＤ／Ａ変換等の処理操作を受けてスピーカ３から音声として出力される。また、携帯電話機１のテレビ電話機能が起動されている状況下にあっては、アンテナ１３によって受信された通信電波、すなわち、多重化された音声符号化信号と画像符号化信号とからなる受信データが、送受信部４で復調されてマイクロプロセッサ８に転送され、音声符号化信号と画像符号化信号とに分離された後、音声符号化信号の部分は前記と同様に音声データに変換されて音声処理部１２によるＤ／Ａ変換等の処理操作を受けてスピーカ３から音声として出力される一方、画像符号化信号の部分は、表示用の画像データに変換されてディスプレイ５に送られ、ディスプレイ５にリアルタイムの画像として表示される。
【００２３】
キー操作部１０は、電話番号の入力操作等の場合にはテンキーとして使用され、また、電子メールの作成等に際してはテキストデータ入力用のカナキー等として利用される。更に、この実施形態においては、キー操作部１０の予め決められた１つのキーが保存指令受付手段Ｅの一部すなわち入力操作部として機能し、更に、カーソル移動キーや選択実行キーが選択指令受付手段Ｊの入力操作部として機能することになる。
【００２４】
一時記憶用メモリＡとして機能するＲＡＭ１４の記憶領域の一部は再生対象ファイル一時記憶手段Ｋとして利用され、更に他の一部は、内部処理用のデータの一時記憶等にも利用される。
【００２５】
ＲＯＭ１１には、通常の通話やテレビ電話機能を利用した通話および電子メールの送受信さらには画像の撮影ならびに画像の再生等に必要とされる処理を実行するための制御プログラムに加え、本実施形態においては、特に、マイクロプロセッサ８を作動検知手段Ｃ，抽出データ書込手段Ｄ，保存指令受付手段Ｅの主要部，データ保存手段Ｆ，記憶データ再生手段Ｇの主要部，上書発生予告手段Ｈ，上書発生警告手段Ｉの主要部，選択指令受付手段Ｊの主要部，連続再生補助手段Ｌとして機能させるために必要とされる制御プログラムが格納されている。
【００２６】
携帯電話機１のハードウェア上の構成に関しては従来のものと同様であり、また、テレビ電話として機能する携帯電話機についても公知であるので、これらの点については詳細な説明は省略する。
【００２７】
図３〜図５は同実施形態の携帯電話機１のマイクロプロセッサ８によって実行される処理の概略について示したフローチャート、また、図６および図７はＲＡＭ１４の一時記憶用メモリＡに記憶される送受信データの例について簡略化して示した概念図である。
【００２８】
次に、図３〜図５のフローチャートを参照して、作動検知手段Ｃ，抽出データ書込手段Ｄ，保存指令受付手段Ｅの主要部，データ保存手段Ｆ，記憶データ再生手段Ｇの主要部，上書発生予告手段Ｈ，上書発生警告手段Ｉの主要部，選択指令受付手段Ｊの主要部，連続再生補助手段Ｌとして機能するマイクロプロセッサ８の処理動作について具体的に説明する。
【００２９】
携帯電話機１に電源が投入されると、マイクロプロセッサ８は、まず、携帯電話機１のテレビ電話機能が起動されたか否かを判定し（ステップａ１）、テレビ電話モードの起動が検知されなければ、更に、不揮発性メモリＢのテレビ電話用保存データ記憶領域に記憶されているファイルから一連のデータを順に読み出して画像と音声を再生する再生処理がユーザによるキー操作部１０の操作で選択されたか否かを判定する（ステップａ３０）。
【００３０】
そして、テレビ電話モードの起動も再生処理の選択操作も検知されなければ、マイクロプロセッサ８は、ユーザによるキー操作部１０の操作に応じ、従来と同様にして、通常の電話モードでの発呼処理や受信処理さらには電子メールの作成等の処理を所定周期毎に繰り返されるステップａ４１の処理によって実行する。
【００３１】
このようにしてステップａ１，ステップａ３０，ステップａ４１の処理が繰り返し実行される間に、ユーザがキー操作部１０からの操作によってテレビ電話の機能を起動すると、作動検知手段Ｃとして機能するマイクロプロセッサ８が、ステップａ１の判定処理でテレビ電話機能の起動を検知する。
【００３２】
次いで、マイクロプロセッサ８は、ＲＡＭ１４の一時記憶用メモリＡに一巡して送受信データの書き込みが行われたことを記憶する上書き実行確認フラグＦの値を０に初期化し（ステップａ２）、ＲＡＭ１４の一時記憶用メモリＡにおける送受信データの書き込み位置を特定するためのデータ書込アドレス特定指標ｉの値を０に初期化して（ステップａ３）、従来と同様に、マイク２から入力された音声の圧縮および符号化とデジタルカメラ６で撮像された画像の圧縮および符号化、ならびに、これらのデータを多重化して画像と音声を含む送信データに変換する処理を実行する（ステップａ４）。
【００３３】
そして、抽出データ書込手段Ｄとして機能するマイクロプロセッサ８が、前述のステップａ４の処理で生成された１サンプリング周期分の送信データを抽出し、データ書込アドレス特定指標ｉの現在値に基いて当該送信データをＲＡＭ１４の一時記憶用メモリＡにおける第ｉアドレスの送信データ記憶フィールドに一時記憶させる（ステップａ５）。
【００３４】
次いで、マイクロプロセッサ８が、ステップａ４の処理で生成された１サンプリング周期分の送信データを送受信部４およびアンテナ１３を介して外部に送信し（ステップａ６）、従来と同様に、アンテナ１３によって受信された通信電波、すなわち、多重化された音声符号化信号と画像符号化信号とからなる受信データを検出する（ステップａ７）。
【００３５】
そして、抽出データ書込手段Ｄとして機能するマイクロプロセッサ８が、ステップａ７の処理で受信された１サンプリング周期分の受信データを抽出し、データ書込アドレス特定指標ｉの現在値に基いて、当該受信データをＲＡＭ１４の一時記憶用メモリＡにおける第ｉアドレスの受信データ記憶フィールドに一時記憶させる（ステップａ８）。
【００３６】
次いで、マイクロプロセッサ８は、従来と同様にして、当該１サンプリング周期分の受信データを音声符号化信号と画像符号化信号とに分離し（ステップａ９）、音声符号化信号の部分を音声データに変換して音声処理部１２およびスピーカ３を介して音声出力する一方、画像符号化信号の部分を表示用の画像データに変換してディスプレイ５にリアルタイムの画像として表示出力する（ステップａ１０）。
【００３７】
このように、同じサンプリング周期で抽出されたデータのうち、送信データはＲＡＭ１４の一時記憶用メモリＡにおける第ｉアドレスの送信データ記憶フィールドに記憶され、受信データはＲＡＭ１４の一時記憶用メモリＡにおける第ｉアドレスの受信データ記憶フィールドに記憶されるので、両者は完全に同期した状態でＲＡＭ１４の一時記憶用メモリＡに記憶されることになる（図６参照）。
【００３８】
次いで、上書発生予告手段Ｈとして機能するマイクロプロセッサ８は、データ書込アドレス特定指標ｉの現在値が警告判定用の設定値ｊに達しているか否かを判定する（ステップａ１１）。
【００３９】
警告判定用の設定値ｊはＲＡＭ１４の一時記憶用メモリＡを一巡してデータが書き込まれる前に上書きの発生を予告するための設定値であり、ＲＡＭ１４の一時記憶用メモリＡにおける送信データ記憶フィールドおよび受信データ記憶フィールドの総数ｎに比べて小さな値である（図６参照）。
警告判定用の設定値ｊの値は、上書きの発生が上書発生警告手段Ｉによってユーザに警告されてからユーザが保存指令受付手段Ｅを操作してデータ保存手段Ｆを作動させても一時記憶用メモリＡにおける第０アドレスの送信データ記憶フィールドや受信データ記憶フィールドにデータが上書きされない程度の時間的な余裕が生じる程度の大きさに設定するものとし、例えば、サンプリング周期×（ｎ−ｊ）が数秒程度となるようにｊの値を設定することが望ましい。
【００４０】
データ書込アドレス特定指標ｉの現在値が警告判定用の設定値ｊに達しておらずステップａ１１の判定結果が真となった場合には、上書きの開始までに時間的な余裕があり、現時点で上書発生警告手段Ｉを作動させる必要はない。
従って、この場合、マイクロプロセッサ８は、ＲＡＭ１４の一時記憶用メモリＡにおいて最後に送受信データの書き込みが行われたアドレスを特定するための最終書込位置記憶レジスタＲにデータ書込アドレス特定指標ｉの現在値を一時記憶した後（ステップａ１２）、データ書込アドレス特定指標ｉの現在値が、ＲＡＭ１４の一時記憶用メモリＡにおける送信データ記憶フィールドおよび受信データ記憶フィールドの総数ｎに達しているか否かを判定する（ステップａ１５）。
【００４１】
ステップａ１５の判定結果が真となり、データ書込アドレス特定指標ｉの現在値がＲＡＭ１４の一時記憶用メモリＡにおける送信データ記憶フィールドおよび受信データ記憶フィールドの総数ｎに達していないことが明らかとなった場合には、このままＲＡＭ１４の一時記憶用メモリＡにおける送信データ記憶フィールドおよび受信データ記憶フィールドに順に送受信データを記憶していけることを意味するので、抽出データ書込手段Ｄとして機能するマイクロプロセッサ８は、データ書込アドレス特定指標ｉの値を１インクリメントして（ステップａ１６）、次の送受信データの一時記憶に備える。
【００４２】
次いで、保存指令受付手段Ｅの主要部として機能するマイクロプロセッサ８は、保存指令受付手段Ｅの一部すなわち入力操作部として機能するキー操作部１０に対するユーザの操作によってデータ保存指令が入力されているか否かを判定する（ステップａ１７）。
【００４３】
データ保存指令の入力が確認されなければ、マイクロプロセッサ８は、更に、キー操作部１０に対するユーザの操作によって携帯電話機１のテレビ電話機能を非作動とする終了指令が入力されているか否かを判定する（ステップａ１８）。
【００４４】
そして、終了指令が入力されていなければ、マイクロプロセッサ８は、データ書込アドレス特定指標ｉの現在値が警告判定用の設定値ｊに達したことが確認されるか（ステップａ１１参照）、データ書込アドレス特定指標ｉの現在値がＲＡＭ１４の一時記憶用メモリＡにおける送信データ記憶フィールドおよび受信データ記憶フィールドの総数ｎに達したことが確認されるか（ステップａ１５参照）、データ保存指令が入力されたことが確認されるか（ステップａ１７参照）、もしくは、終了指令が入力されたことが確認されるまでの間（ステップａ１８参照）、前記と同様にしてステップａ４〜ステップａ１２およびステップａ１５〜ステップａ１８の処理を繰り返し実行し、この間、抽出データ書込手段Ｄとして機能するマイクロプロセッサ８が、サンプリング周期毎に更新されるデータ書込アドレス特定指標ｉの現在値に基いて、図６に示されるように、当該１サンプリング周期分の送信データをＲＡＭ１４の一時記憶用メモリＡにおける第ｉアドレスの送信データ記憶フィールドに逐次一時記憶させると共に、当該１サンプリング周期分の受信データをＲＡＭ１４の一時記憶用メモリＡにおける第ｉアドレスの受信データ記憶フィールドに逐次一時記憶させていく。
【００４５】
そして、このような処理が繰り返し実行される間に、ステップａ１１の判定処理でデータ書込アドレス特定指標ｉの現在値が警告判定用の設定値ｊに達したことが確認されると、上書発生予告手段Ｈとして機能するマイクロプロセッサ８は、この時点で上書き実行確認フラグＦの値が０に保持されているか否か、つまり、現時点でＲＡＭ１４の一時記憶用メモリＡにおける送信データ記憶フィールドや受信データ記憶フィールドに対して送受信データの上書き行為が既に行なわれているか否かを判定する（ステップａ１３）。
【００４６】
ここで、上書き実行確認フラグＦの値が０に保持されており、ＲＡＭ１４の一時記憶用メモリＡにおける送信データ記憶フィールドや受信データ記憶フィールドに対して送受信データの上書き行為が行なわれていないことが明らかとなった場合には、上書発生警告手段Ｉとして機能するマイクロプロセッサ８が、上書発生警告手段Ｉの一部をなすアラート表示部として機能するディスプレイ５にアラート信号を送出し、数秒の猶予を残してＲＡＭ１４の一時記憶用メモリＡにおける送信データ記憶フィールドや受信データ記憶フィールドにデータの上書きが開始される旨のアラートメッセージを表示させ、上書きの発生をユーザに警告する（ステップａ１４）。
上書き実行確認フラグＦに値１が既にセットされている場合には、ＲＡＭ１４の一時記憶用メモリＡにおける送信データ記憶フィールドや受信データ記憶フィールドに対して既に送受信データの上書き行為が開始されていることを意味するので、アラートメッセージの表示は行なわない。
【００４７】
そして、更に、データ書込アドレス特定指標ｉの現在値がＲＡＭ１４の一時記憶用メモリＡにおける送信データ記憶フィールドおよび受信データ記憶フィールドの総数ｎに達したことがステップａ１５の判定処理で確認されると、抽出データ書込手段Ｄとして機能するマイクロプロセッサ８は、データ書込アドレス特定指標ｉの値を改めて０に初期化し（ステップａ１９）、上書き実行確認フラグＦの値が０に保持されているか否か、つまり、この時点でディスプレイ５に上書きの開始を示すアラートメッセージが表示されているか否かを判定し（ステップａ２０）、上書き実行確認フラグＦの値が０に保持されている場合、つまり、次周期のサンプリング周期で最初の上書き行為が行なわれる場合に限って、ディスプレイ５上のアラートメッセージの表示を解除し（ステップａ２１）、上書き実行確認フラグＦに値１をセットして、ＲＡＭ１４の一時記憶用メモリＡにおける送信データ記憶フィールドや受信データ記憶フィールドに対して次のサンプリング周期から送受信データの上書き行為が開始されることを記憶する（ステップａ２２）。
上書き実行確認フラグＦに値１が既にセットされている場合には、既に此れ以前のサンプリング周期でディスプレイ５上のアラートメッセージの表示が解除され、上書き実行確認フラグＦの値も１にセットされているので、再度のアラートメッセージの解除処理は行なわない。
つまり、データの上書きが開始される旨のアラートメッセージがディスプレイ５上に表示されるのは、データ書込アドレス特定指標ｉの値が警告判定用の設定値ｊに達してからｎに到達するまでの間であり、ＲＡＭ１４の一時記憶用メモリＡを一巡した２回目以降の上書きに対してはアラートメッセージの表示は行なわれない。
【００４８】
次いで、マイクロプロセッサ８は、キー操作部１０に対するユーザの操作によってデータ保存指令や終了指令が入力されているか否かを判定し（ステップａ１７，ステップａ１８）、何れの指令も入力されていなければ、前記と同様、データ書込アドレス特定指標ｉの現在値が改めて警告判定用の設定値ｊに達したことが確認されるか（ステップａ１１参照）、データ書込アドレス特定指標ｉの現在値がＲＡＭ１４の一時記憶用メモリＡにおける送信データ記憶フィールドおよび受信データ記憶フィールドの総数ｎに達したことが改めて確認されるか（ステップａ１５参照）、データ保存指令が入力されたことが確認されるか（ステップａ１７参照）、もしくは、終了指令が入力されたことが確認されるまでの間（ステップａ１８参照）、ステップａ４〜ステップａ１２およびステップａ１５〜ステップａ１８の処理を繰り返し実行し、この間、抽出データ書込手段Ｄとして機能するマイクロプロセッサ８が、前述のステップａ１９の処理で一旦初期化されてから改めてサンプリング周期毎に更新されるデータ書込アドレス特定指標ｉの現在値に基いて、図７に示されるように、当該１サンプリング周期分の送信データと受信データをＲＡＭ１４の一時記憶用メモリＡにおける第ｉアドレスすなわち第０アドレスから順に循環的に書き込むようなかたちで一時記憶させていく。
【００４９】
従って、結果的に、最近のｎサンプリング周期分のテレビ電話に関わる送受信データ、すなわち、現時点から〔サンプリング周期×ｎ〕に相当する時間まで過去に遡った分の送受信データがＲＡＭ１４の一時記憶用メモリＡに定常的に保存されることになる。
【００５０】
このようにしてステップａ４〜ステップａ１２およびステップａ１５〜ステップａ１８の処理が繰り返し実行される間に、例えば、テレビ電話中に通信相手から送られた重要な音声や画像をユーザが聞き逃したり見逃したりしたような場合には、当該時点から過去に遡った画像や通話内容の保存状態を維持するため、ユーザは、保存指令受付手段Ｅの入力操作部として機能するキー操作部１０を操作して、データ保存指令を携帯電話機１に入力する。
【００５１】
すると、保存指令受付手段Ｅの主要部として機能するマイクロプロセッサ８がステップａ１７の判定処理で此の操作を検知し、ファイル名のネーミングに使用されるファイル名生成指標ｋの値を１インクリメントする（ステップａ２３）。
ファイル名生成指標ｋは、ＲＡＭ１４の一時記憶用メモリＡに記憶されているデータを一連のデータ群からなるファイルとして不揮発性メモリＢのテレビ電話用保存データ記憶領域に記憶させる際にファイル名を設定するための指標であり、その値は不揮発性メモリＢのユーザ用データ記憶領域に書き換え可能な状態で不揮発記憶されるようになっている。
【００５２】
次いで、マイクロプロセッサ８は、この時点で上書き実行確認フラグＦの値が０に保持されているか否か、つまり、現時点でＲＡＭ１４の一時記憶用メモリＡにおける送信データ記憶フィールドや受信データ記憶フィールドに対して送受信データの上書き行為が行なわれているか否かを判定する（ステップａ２４）。
【００５３】
そして、上書き実行確認フラグＦの値が０に保持されており、ＲＡＭ１４の一時記憶用メモリＡにおける送信データ記憶フィールドや受信データ記憶フィールドに対して送受信データの上書き行為が全く行なわれていないことが明らかとなった場合には、データ保存手段Ｆとして機能するマイクロプロセッサ８が、最終書込位置記憶レジスタＲの現在値に基づいてＲＡＭ１４の一時記憶用メモリＡの第０アドレス〜第Ｒアドレスまでに記憶されている送受信データを１〜Ｒのアドレス順、つまり、データを書き込んだ時の時系列に従って順に読み込み（図６参照）、一連のデータ群からなる名称ｋのファイルとして、不揮発性メモリＢのテレビ電話用保存データ記憶領域に記憶させる（ステップａ２５）。
【００５４】
次いで、マイクロプロセッサ８は、データ書込アドレス特定指標ｉの値を０に初期化し（ステップａ２６）、最終書込位置記憶レジスタＲの現在値が警告判定用の設定値ｊを超えているか否か、つまり、この時点でディスプレイ５上にアラートメッセージが表示されているか否かを判定し（ステップａ２７）、最終書込位置記憶レジスタＲの現在値が設定値ｊを超えている場合、すなわち、アラートメッセージが表示されている場合には、このアラートメッセージの表示をクリアする（ステップａ２８）。
【００５５】
次いで、マイクロプロセッサ８は、キー操作部１０に対するユーザの操作によって終了指令が入力されているか否かを判定し（ステップａ１８）、終了指令が入力されていなければ、データ書込アドレス特定指標ｉの現在値が再び警告判定用の設定値ｊに達したことが確認されるか（ステップａ１１参照）、データ書込アドレス特定指標ｉの現在値がＲＡＭ１４の一時記憶用メモリＡにおける送信データ記憶フィールドおよび受信データ記憶フィールドの総数ｎに達したことが確認されるか（ステップａ１５参照）、データ保存指令が入力されたことが確認されるか（ステップａ１７参照）、もしくは、終了指令が入力されたことが確認されるまでの間（ステップａ１８参照）、前記と同様にしてステップａ４〜ステップａ１２およびステップａ１５〜ステップａ１８の処理を繰り返し実行し、この間、抽出データ書込手段Ｄとして機能するマイクロプロセッサ８が、前述のステップａ２６の処理で一旦初期化されてから改めてサンプリング周期毎に更新されるデータ書込アドレス特定指標ｉの現在値に基いて、図６に示されるように、当該１サンプリング周期分の送信データと受信データをＲＡＭ１４の一時記憶用メモリＡにおける第ｉアドレスすなわち第０アドレスから順に循環的に書き込むかたちで一時記憶させていく。
【００５６】
一方、ステップａ２４の判定結果が偽となった場合、つまり、上書き実行確認フラグＦに値１がセットされており、ＲＡＭ１４の一時記憶用メモリＡにおける送信データ記憶フィールドや受信データ記憶フィールドに対して送受信データの上書き行為が既に行なわれていることが明らかとなった場合には、データ保存手段Ｆとして機能するマイクロプロセッサ８が、最終書込位置記憶レジスタＲの現在値に基づいてＲＡＭ１４の一時記憶用メモリＡの第Ｒ＋１アドレス〜第ｎアドレスまでに記憶されている送受信データとＲＡＭ１４の一時記憶用メモリＡの第０アドレス〜第Ｒアドレスまでに記憶されている送受信データを、アドレスＲ＋１〜ｎそしてアドレス１〜Ｒの順、すなわち、データを書き込んだ時の時系列に従って順に読み込み（図７参照）、一連のデータ群からなる名称ｋのファイルとして、不揮発性メモリＢのテレビ電話用保存データ記憶領域に記憶させる（ステップａ２９）。
【００５７】
従って、例えば、データ書込アドレス特定指標ｉの現在値が警告判定用の設定値ｊに達してディスプレイ５に上書き開始のアラートメッセージが表示された時点でユーザが直ちにデータ保存指令を入力した場合、つまり、ｊ＜ｉ＜ｎの間にユーザがデータ保存指令を入力した場合では、上書き実行確認フラグＦの値が０に保持され続け、Ｒ＝ｉ個（但し、ｊ＜ｉ＜ｎ）の送受信データ群が名称ｋのファイルとして不揮発性メモリＢのテレビ電話用保存データ記憶領域に記憶されてデータ書込アドレス特定指標ｉと上書き開始のアラートメッセージがリセットされ、その後、再びデータ書込アドレス特定指標ｉの現在値が警告判定用の設定値ｊに達した時点で改めてディスプレイ５に上書き開始のアラートメッセージが表示されることになる。
よって、ディスプレイ５に上書き開始のアラートメッセージが表示される度にユーザがデータ保存指令を入力するようにすれば、Ｒ＝ｉ個（但し、ｊ＜ｉ＜ｎ）の送受信データ群からなる名称ｋ＝１，２，３，・・・のファイル（図６参照）を連続的に生成することが可能であり、ＲＡＭ１４の一時記憶用メモリＡの記憶容量の大小とは関わりなく、不揮発性メモリＢのテレビ電話用保存データ記憶領域の記憶容量が許す限り、テレビ電話の通話開始時点からの音声や画像の送受信データをｋ＝１，２，３，・・・の幾つかのファイルに分割して連続的に保存することが可能である。
【００５８】
また、データ書込アドレス特定指標ｉの現在値が警告判定用の設定値ｊに達してディスプレイ５に上書き開始のアラートメッセージが表示されたことをユーザが無視した場合にあっては、その後、最初にデータ書込アドレス特定指標ｉの現在値がＲＡＭ１４の一時記憶用メモリＡにおける送信データ記憶フィールドおよび受信データ記憶フィールドの総数ｎに達した時点、つまり、次周期のサンプリング周期で最初の上書き行為が行なわれることが分かった時点でアラートメッセージの表示が解除されて上書き実行確認フラグＦがセットされ、その後で再びデータ書込アドレス特定指標ｉの現在値が警告判定用の設定値ｊに達しても、改めて上書き開始のアラートメッセージが表示されることはない。
この場合は、ユーザがデータ保存指令を入力する度に、常にＲ＝ｎ個の送受信データ群（図７参照）が名称ｋのファイルとして不揮発性メモリＢのテレビ電話用保存データ記憶領域に記憶されることになる。
よって、ユーザが重要な音声や画像の聞き逃しや見逃しに気付いた時点でデータ保存指令を入力することにより、何時でも、また、幾つでも、通信が行なわれたときの時間差とは関わりなく、データ保存指令を入力した各時点から〔サンプリング周期×ｎ〕だけ過去に遡った時間帯の送受信データを、大容量の不揮発性メモリＢのテレビ電話用保存データ記憶領域に記憶させることができる。
【００５９】
そして、最終的に、ステップａ１８の判定処理でキー操作部１０に対する終了指令の入力が検知されると、マイクロプロセッサ８は通話中の画像や音声に関わる送受信データの一時記憶に関わる処理を終え、ステップａ１，ステップａ３０，ステップａ４１の処理を繰り返し実行する初期の待機状態に復帰する。
【００６０】
一方、不揮発性メモリＢのテレビ電話用保存データ記憶領域に記憶されているファイルを選択してテレビ電話中に聞き逃したり見逃したりした音声や画像を再生する場合には、ユーザは、選択指令受付手段Ｊの入力操作部として機能するキー操作部１０のカーソル移動キーや選択実行キー等を操作し、携帯電話機１にファイル選択指令を入力するようにする。
【００６１】
すると、選択指令受付手段Ｊの主要部として機能するマイクロプロセッサ８がステップａ３０の判定処理で此の操作を検知し、ユーザがキー操作部１０の操作によって再生対象とすべき送受信データのファイルを選択する度に（ステップａ３１）、ＲＡＭ１４の記憶領域の一部によって構成される再生対象ファイル一時記憶手段Ｋに選択済みのファイルの名称ｋを次々と記憶させていく（ステップａ３２）。
ファイル名のディスプレイ表示やディスプレイ上のファイル名を利用したファイルの選択処理等については周知である。
【００６２】
そして、最終的に、再生すべきファイルを全て選択したユーザがキー操作部１０を操作して選択操作の終了を宣言すると、マイクロプロセッサ８がステップａ３３の判定処理で此の操作を検知する。
【００６３】
次いで、連続再生補助手段Ｌとして機能するマイクロプロセッサ８が、再生対象ファイル一時記憶手段Ｋに記憶されたファイル名ｋに基づいて不揮発性メモリＢのテレビ電話用保存データ記憶領域から昇べき順でファイルを１つ選択し、ＲＡＭ１４のユーザ用データ記憶領域に展開する（ステップａ３４）。
【００６４】
そして、記憶データ再生手段Ｇとして機能するマイクロプロセッサ８が、ＲＡＭ１４のユーザ用データ記憶領域に展開されたファイルの先頭から送信データと受信データの組を１ブロック抽出し（ステップａ３５）、送信データと受信データの各々について１ブロックすなわち１サンプリング周期分のデータを音声符号化信号と画像符号化信号とに分離して音声データと画像データに変換し（ステップａ３６）、記憶データ再生手段Ｇの一部をなす画像表示部を構成するディスプレイ５の表示領域を左右または上下に２分割して、その一方に受信データの画像をすると共に他方に送信データの画像を表示し（ステップａ３７）、送信データの音声と受信データの音声をスピーカ３から音声出力する（ステップａ３８）。
【００６５】
次いで、記憶データ再生手段Ｇとして機能するマイクロプロセッサ８は、ＲＡＭ１４のユーザ用データ記憶領域に展開されたファイルに未再生の送受信データが残っているか否かを判定し（ステップａ３９）、未再生の送受信データがあれば、前記と同様にしてステップａ３５〜ステップａ３８の処理を繰り返し実行し、次々と１ブロック分の送受信データを順に読み込んで、データ保存時と同じサンプリング周期で音声と画像の再生処理を実行する。
【００６６】
そして、ＲＡＭ１４のユーザ用データ記憶領域に展開されている１つのファイルの最後の送受信データの再生処理が完了したことがステップａ３９の判定処理で検知されると、連続再生補助手段Ｌとして機能するマイクロプロセッサ８は、ステップａ３２の処理で再生対象ファイル一時記憶手段Ｋに記憶された選択ファイルの中に未再生のファイル名が残っているか否かを判定し（ステップａ４０）、未再生のファイル名があれば、不揮発性メモリＢのテレビ電話用保存データ記憶領域からファイル名ｋの昇べき順で次のファイルを新たに１つ読み出し、ＲＡＭ１４のユーザ用データ記憶領域に展開する（ステップａ３４）。そして、記憶データ再生手段Ｇとして機能するマイクロプロセッサ８が、ステップａ３５〜ステップａ３８の処理を前記と同様にして繰り返し実行し、当該１ファイルに記憶された送受信データの音声と画像をスピーカ３とディスプレイ５に出力する。
【００６７】
最終的に、ステップａ４０の判定結果が偽となり、再生対象ファイル一時記憶手段Ｋに記憶された選択ファイルの全てについて送受信データの再生処理が完了したことが確認された時点で、連続再生補助手段Ｌおよび記憶データ再生手段Ｇによるファイルの再生処理が全て完了し、マイクロプロセッサ８は、送受信データの再生に関わる処理を終え、ステップａ１，ステップａ３０，ステップａ４１の処理を繰り返し実行する初期の待機状態に復帰する。
【００６８】
従って、再生対象とすべき送受信データのファイルを２つ以上選択した場合にあっては、ファイル名ｋの昇べき順、つまり、ファイル名ｋのファイルが例えばｋ＝１，２，３，・・・の時系列順で自動的に読み出されて各ファイル内の送受信データが次々と連続的に再生されることになるので、既に述べたように、テレビ電話の通信に際してディスプレイ５に上書き開始のアラートメッセージが表示される度にユーザがキー操作部１０を操作してデータ保存指令を入力することによって名称ｋ＝１，２，３，・・・のファイルを連続的に生成した場合においては、ＲＡＭ１４の一時記憶用メモリＡの記憶容量の大小とは関わりなく、テレビ電話の通話開始時点からの音声や画像の送受信データを分割して記憶したｋ＝１，２，３，・・・の一連のファイルからデータ記憶時の時系列に従って連続的に送受信データを読み出して通信時の音声や画像を間断なく再生することが可能である。
【００６９】
また、再生対象とすべき送受信データのファイルを１つのみ選択した場合にあっては、この１つのファイルの送受信データの再生が完了した時点で再生対象ファイル一時記憶手段Ｋに他のファイル名のファイルが記憶されているということはないので、１ファイル分の送受信データの再生が終った時点で、ステップａ４０の判定結果が偽となってファイルの再生処理が全て完了し、マイクロプロセッサ８は、ステップａ１，ステップａ３０，ステップａ４１の処理を繰り返し実行する初期の待機状態に復帰する。
【００７０】
不揮発性メモリＢのテレビ電話用保存データ記憶領域ではテレビ電話の実行中に保存された一連の送受信データのファイルがファイルの生成順つまりファイル名ｋによって管理されているので、ＲＡＭ１４の一時記憶用メモリＡから新たに転送される一連の送受信データが不用意に他のファイルに上書きして保存されることはない。
従って、通信が行なわれたときの時間差に関わりなく、例えば、１週間前の通信内容や１日前の通信内容あるいは数時間前の通信内容といったものを不揮発性メモリＢのテレビ電話用保存データ記憶領域の記憶容量の範囲内で幾つでも保存することがきできる。
【００７１】
この実施形態では、新たなファイルの保存時にインクリメントされるファイル名生成指標ｋの値に基いて複数のファイルを時系列で管理しているが、ファイル名生成指標ｋに代えて年，月，日，時，分，秒のデータを使用してもよいし、ファイル名ｋや年，月，日，時，分，秒といった時系列のデータに加え、更に、ラベリングのための題目等をファイルに対応させて設定するようにしてもよい。
【００７２】
前述の実施形態では、テレビ電話機能使用時の通信内容を的確に把握するため、送信データと受信データを同期させて記憶したファイルｋを生成して不揮発性メモリＢのテレビ電話用保存データ記憶領域に保存するようにしているが、ユーザが必要とするのは、専ら通信相手から送信された画像や音声データであるから、前述したように、受信データのみを記憶するファイルｋを生成するようにしても、所期の目的、つまり、ユーザが通信内容保存用の記録スイッチの操作を忘れたまま重要な通信を行ったような場合であっても、相手側に音声や画像の再送信を求めずに、聞き逃したり見逃したりした音声や画像を再確認することを可能とするといった目的を達成することができる。また、テレビ電話会議等の重要データの保存にも利用できる。
【００７３】
何れの構成を適用した場合も、通信が行なわれたときの時間差に関わりなく、複数の通信内容を不揮発性メモリＢのテレビ電話用保存データ記憶領域にファイルとして幾つでも保存することがきでき、テレビ電話用保存データ記憶領域それ自体には循環的なデータの書き込み作業は行なわれないので、一旦テレビ電話用保存データ記憶領域に保存された画像や音声の通信内容を長期間に亘り幾つでも失われることなく安全に保持することができる。
また、送受信データ用のバッファとして利用されるＲＡＭ１４の一時記憶用メモリＡには長時間の通信に亘る送受信データを記憶するための記憶容量は不要であって、データ記憶用のバッファとして機能する格別のメモリを新たに実装する必要がなく、データ記憶用のＲＡＭ１４の記憶領域の一部、すなわち、予め決められた範囲内の記憶容量を、バッファに代わる一時記憶用メモリＡとして流用することができるので、携帯電話１の生産コストの軽減化も可能である。
【図面の簡単な説明】
【００７４】
【図１】本発明を適用した一実施形態の携帯電話機の構成の概略について示したブロック図である。
【図２】同実施形態の携帯電話機が備える主要な機能について簡略化して示した機能ブロック図である。
【図３】同実施形態の携帯電話機のマイクロプロセッサによって実行される処理の概略について示したフローチャートである。
【図４】同マイクロプロセッサによって実行される処理の概略について示したフローチャートの続きである。
【図５】同マイクロプロセッサによって実行される処理の概略について示したフローチャートの続きである。
【図６】同実施形態の携帯電話機の一時記憶用メモリにおける送受信データの記憶状態の一例について簡略化して示した概念図である。
【図７】同実施形態の携帯電話機の一時記憶用メモリにおける送受信データの記憶状態の一例について図６とは異なるタイミングで示した概念図である。
【符号の説明】
【００７５】
１  携帯電話機
２  マイク
３  スピーカ
４  送受信部
５  ディスプレイ
６  カメラ
７  カメラ制御部
８  マイクロプロセッサ
９  画像処理部
１０  キー操作部（保存指令受付手段および選択指令受付手段の一部）
１１  ＲＯＭ
１２  音声処理部
１３  アンテナ
１４  ＲＡＭ（一時記憶用メモリ，再生対象ファイル一時記憶手段）
Ａ  一時記憶用メモリ
Ｂ  不揮発性メモリ
Ｃ  作動検知手段
Ｄ  抽出データ書込手段
Ｅ  保存指令受付手段
Ｆ  データ保存手段
Ｇ  記憶データ再生手段
Ｈ  上書発生予告手段
Ｉ  上書発生警告手段
Ｊ  選択指令受付手段
Ｋ  再生対象ファイル一時記憶手段
Ｌ  連続再生補助手段
【図１】
2010124243.tif 000003
【図２】
2010124243.tif 000004
【図３】
2010124243.tif 000005
【図４】
2010124243.tif 000006
【図５】
2010124243.tif 000007
【図６】
2010124243.tif 000008
【図７】
2010124243.tif 000009